(57)【要約】【目的】  サブ電源オフ後の受信装置内部での受信動作の所要時間をユーザに知らせることができるディジタル放送受信装置を提供する。【構成】  ディジタル放送受信装置のＣＰＵは、通電期間内である場合の通電期間による時間を表す文字情報、ダウンロード期間内である場合の定められた期間による時間を表す文字情報、及び番組表データ取得時間による時間を示す文字情報を生成してスケーラ／ＯＳＤ回路に与える。スケーラ／ＯＳＤ回路により、サブ電源オフ後の受信動作予定時間を表す画面が表示される。また、ＣＰＵは前記３つの時間のトータル時間を算出してこの時間を表す文字情報を生成し、スケーラ／ＯＳＤ回路によってトータル時間も表示する。【選択図】        図２
2006033461.tif 000002
【特許請求の範囲】
【請求項１】
ディジタルテレビ放送波を受信して復調し、映像信号及び音声信号を出力するディジタル放送受信装置において、サブ電源オフ後も放送受信動作を続行して放送波から情報を取得する手段と、前記情報の取得に要する所要時間を算出する時間算出手段と、前記算出した時間をサブ電源オフ時に画面に所定時間表示する手段と、を備えたことを特徴とするディジタル放送受信装置。
【請求項２】
請求項１に記載のディジタル放送受信装置において、前記時間算出手段は、現在日時が契約更新予定情報に基づく通電期間内である場合に、指定されている電源保持時間に基づいた時間を前記所要時間に算入するように構成されたことを特徴とするディジタル放送受信装置。
【請求項３】
請求項１又は請求項２に記載のディジタル放送受信装置において、前記時間算出手段は、現在日時が告知情報に基づく共通データダウンロードの送出期間内である場合に、指定されている送出時間に基づいた時間を前記所要時間に算入するように構成されたことを特徴とするディジタル放送受信装置。
【請求項４】
請求項１乃至請求項３のいずれかに記載のディジタル放送受信装置において、前記時間算出手段は、番組情報の取得に要する時間を算出し、この時間を前記所要時間に算入するように構成されたことを特徴とするディジタル放送受信装置。
【請求項５】
請求項１乃至請求項４のいずれかに記載のディジタル放送受信装置において、前記所要時間に算入される各時間も表示するように構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、映像信号や音声信号を送信する他に、番組表情報、契約更新情報、ダウンロード情報などの付加情報も送信されている。現在のＢＳ／ＣＳ／地上ディジタル放送受信装置では、リモートコントローラでサブ電源オフした後も、権利付与メッセージ（ＥＭＭ：Ｅｎｔｉｔｌｅｍｅｎｔ  Ｍａｎａｇｅｍｅｎｔ  Ｍｅｓｓａｇｅ）受信、共通データダウンロード受信、番組表情報受信等のために、画面は消えているが受信装置内部で受信動作を続行することが多くある（特許文献１参照）。従来は、このような処理を実行する場合、受信装置の筐体前面に設けられたＬＥＤを点灯させるなどして、受信装置内部で受信動作が行われていることを使用者に知らせるようにしている。
【特許文献１】特開２００２−２９０８６９号公報参照
【発明の開示】
【発明が解決しようとする課題】
【０００４】
しかしながら、サブ電源オフ後の受信装置内部での受信動作は常に行われるのではなく、また、受信装置内部での受信動作が行われる場合の動作時間もその時々の状況により異なるので、使用者はＬＥＤ点灯を見て受信装置内部で受信動作が行われていることは分かったとしても、いつまで受信動作が続くのかは予測できない。
【０００５】
この発明は、上記の事情に鑑み、サブ電源オフ後の受信装置内部での受信動作の所要時間をユーザに知らせることができるディジタル放送受信装置を提供することを目的とする。
【課題を解決するための手段】
【０００６】
この発明のディジタル放送受信装置は、上記の課題を解決するために、ディジタルテレビ放送波を受信して復調し、映像信号及び音声信号を出力するディジタル放送受信装置において、サブ電源オフ後も放送受信動作を続行して放送波から情報を取得する手段と、前記情報の取得に要する所要時間を算出する時間算出手段と、前記算出した時間をサブ電源オフ時に画面に所定時間表示する手段と、を備えたことを特徴とする。
【０００７】
上記の構成であれば、ディジタル放送受信装置がいつまで内部で受信動作を行うかが分かるので、ユーザに安心感を与えることになる。また、その間はメイン電源をオフしてはいけないとの認識がユーザにおいて深まると思われるので、必要情報の受信機会損失防止に役立つことが期待できる。
【０００８】
上記構成のディジタル放送受信装置において、前記時間算出手段は、現在日時が契約更新予定情報に基づく通電期間内である場合に、指定されている電源保持時間に基づいた時間を前記所要時間に算入するように構成されていてもよい。また、前記時間算出手段は、現在日時が告知情報に基づく共通データダウンロードの送出期間内である場合に、指定されている送出時間に基づいた時間を前記所要時間に算入するように構成されていてもよい。また、前記時間算出手段は、番組情報の取得に要する時間を算出し、この時間を前記所要時間に算入するように構成されていてもよい。
【０００９】
また、これら構成のディジタル放送受信装置において、前記所要時間に算入される各時間も表示するように構成されていてもよい。
【発明の効果】
【００１０】
以上説明したように、この発明であれば、ディジタル放送受信装置がいつまで内部で受信動作を行うかがわかるので、使用者に安心感を与えることになる。また、その間はメイン電源をオフしてはいけないとの認識が深まると思われるので、必要情報の受信機会損失防止に役立つことが期待できる。
【発明を実施するための最良の形態】
【００１１】
以下、この発明の実施形態を図１乃至図３に基づいて説明するが、ここではＢＳ／ＣＳ／地上波ディジタル放送のいずれも受信できる構成を例示している。図１はこの実施形態のディジタル放送受信装置３０を示したブロック図であり、図２は所要時間の画面表示例を示した説明図であり、図３は制御内容を示したフローチャートである。
【００１２】
アンテナ１Ａ・１Ｂは、屋外において所定の方向に向けて配置されており、ＢＳ／ＣＳ／地上波放送局から送られてくるディジタル放送信号を受信する。
【００１３】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１４】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組表データ（番組名、番組開始時刻、番組内容情報、番組ジャンル情報等）等をＣＰＵ１３に供給し、データ放送データをＢＭＬ（ＸＭＬ）ブラウザ２０に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１５】
ＡＶデコーダ４はビデオストリームに対してデコードを行うビデオデコーダ、オーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データはスケーラ／ＯＳＤ回路１２を経て映像処理回路５に出力され、音声データは音声処理回路６に出力される。
【００１６】
映像処理回路５は、スケーラ／ＯＳＤ回路１２を経た映像データを受け取ってＤ／Ａ変換を行い、例えばコンポジット映像信号に変換する。音声処理回路６は、デコーダ４から出力された音声データを受け取ってＤ／Ａ変換を行い、例えば右（Ｒ）音のアナログ信号及び左（Ｌ）音のアナログ信号を生成する。
【００１７】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってディスプレイ１６ａ及びスピーカ１６ｂを備えるモニタ１６が接続される。
【００１８】
スケーラ／ＯＳＤ回路１２はブラウザ２０やＣＰＵ１３から出力指示された文字情報や色情報に基づく映像データを生成する回路であり、このスケーラ／ＯＳＤ回路１２により、番組情報に基づくＥＰＧ（Ｅｌｅｃｔｒｏｎｉｃ  Ｐｒｏｇｒａｍ  Ｇｕｉｄｅ）表示、メッセージ表示（後述する所要時間表示等）、メニュー表示などが行えることになる。
【００１９】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２０】
メモリ（ＲＡＭ、ＥＥＰＲＯＭ、フラッシュメモリ等）１４には、ＥＰＧ画面などを表示するための番組表データなどが格納される。
【００２１】
モデム２２は、例えば有料放送の課金情報、双方向データサービスにおける送信データなどを伝送する際のダイヤルアップ接続においてＣＰＵ１３の制御の下で動作する。
【００２２】
ＩＣカード２１Ａは、有料放送を視聴可能にするための鍵情報（ＥＭＭ）や番組毎に課金対象となるＰＰＶ番組の購入履歴情報などをその内蔵メモリに格納する。
【００２３】
ＣＰＵ１３は、このディジタル放送受信装置３０における全体制御を行うものであるが、特にこの発明にかかる処理として、以下に示す処理を行う。
【００２４】
［ディジタル放送の契約更新予定情報の取得］
（１）ＣＰＵ１３は、契約チャンネルの受信時に受信装置３０のＩＣカード２１Ａ宛のＥＭＭセクションを受信したとき、これをＩＣカード２１Ａに送出する。ＩＣカード２１Ａからの応答（ＩＣカード応答）により、契約更新予定情報を取得したことをＣＰＵ１３は知ることになる。
（２）ＣＰＵ１３はＩＣカード２１Ａに対して契約更新予定情報の取得を要求することにより（通電制御情報要求コマンド発効）、契約更新予定情報（通電期間、電源保持時間、受信トランスポートストリームなどの情報）を得る。ここで、ＣＰＵ１３は、現在日時が通電期間内かどうかを判定し、通電期間内であればＩＣカード２１Ａから取得した電源保持時間をメモリ１４に格納する。
【００２５】
［契約更新予定期間中の契約情報取得］
（３）契約更新予定情報（通電期間、電源保持時間、受信トランスポートストリームなどの情報）に基づき、通電期間内でサブ電源オフ（スタンバイ状態）のとき、ＥＭＭ受信のための回路通電を行い、指定トランスポートストリームの選択及びＥＭＭセクションの受信を指定時間行う。受信装置に装填しているＩＣカード宛てのＥＭＭセクションを受信したらＩＣカード２１Ａに送出する。処理を終了すると、ＥＭＭセクション受信のための回路通電を解除し、スタンバイ状態となる。
【００２６】
［共通データダウンロード受信］
（４）ＣＰＵ１３は予め取得している告知情報（ＳＤＴＴ：Ｓｏｆｔｗａｒｅ  Ｄｏｗｎｌｏａｄ  Ｔｒｉｇｇｅｒ  Ｔａｂｌｅ：ダウンロードのサービスＩＤ、スケジュール情報、更新対象の受信機種別などの告知情報の指示）の共通データ（周波数変更リスト、チャンネルロゴ、ジャンルコードなど）ダウンロード期間と現在日時を比較して、ダウンロード期間であれば規格で定められた時間をメモリ１４に書き込む。ダウンロード期間は２０分以内とされる場合がある。
【００２７】
［番組表情報受信］
（５）ＣＰＵ１３は、既に取得してメモリ１４（不揮発性メモリ部）に書き込んでいる番組表データと現在送信されている全番組表データから、残りの番組表データ取得時間を算出し、メモリ１４に書き込む。例えば、地上ディジタル放送の放送局数がトータルで１０局、既に番組表データを取得している局の数が６局であるとすれば、１局当たりの取得時間を２分として、２×４＝８分のごとく地上ディジタル放送の番組表データ取得時間を算出する。また、番組表データの取得時間は、ＥＩＴ（Ｅｖｅｎｔ  Ｉｎｆｏｒｍａｔｉｏｎ  Ｔａｂｌｅ）の最大再送周期の数倍に設定されることもある。
【００２８】
［受信装置動作時間算出］
（６）ＣＰＵ１３は、通電期間内である場合の通電期間（前記（２）の処理参照）による時間を表す文字情報、ダウンロード期間内である場合の定められた期間（前記（４）の処理参照）による時間を表す文字情報、及び番組表データ取得時間（前記（５）の処理参照）による時間を示す文字情報を、サブ電源オフ時に生成してスケーラ／ＯＳＤ回路１２に与える。スケーラ／ＯＳＤ回路１２により、図２に示しているように、サブ電源オフ後の受信動作予定時間を表す画面が表示される。なお、この図に示しているように、ＣＰＵ１３は前記３つの時間のトータル時間を算出してこの時間を表す文字情報を生成し、上記画面においてトータル時間が示されるようにしてもよい。
（７）ＣＰＵ１３は、上記ＯＳＤ画面の表示開始から例えば３秒間の時間経過を判定すると、映像出力を停止させる。ディスプレイ１６ａは映像信号の有無を検出し、映像信号が無ければ自動的に電源ＯＦＦとなるように構成されていてもよいし、ＣＰＵ１３からの停止信号を受けることによって電源ＯＦＦとなるように構成されていてもよいものである。勿論、３秒経過後も、受信装置内部では、情報の受信のための動作が行われる。なお、情報の受信のための動作中において図示しないＬＥＤを点灯させてもよい。また、ＬＥＤ点灯中に、例えば、「再表示」といったボタン（例えば、リモコン送信機に設けられる。図示せず）が操作されると、再度、図２に示した画面を表示するように構成してもよい。この場合、最初の画面表示開始時から前記ボタンが操作されるまでの経過時間を減算したものを所要時間として表示するようにしてもよい。
【００２９】
図３は上記処理内容を示したフローチャートである。ＣＰＵ１３は、ＩＣカード２１Ａから通電制御情報を取得し（ステップＳ１）、現在日時が通電期間内かを判定する（ステップＳ２）。通電期間内であればＩＣカード２１Ａから取得した電源保持時間を通電制御情報の電源保持時間としてメモリ１４に書き込む（ステップＳ３）。通電期間内でなければ、電源保持時間を０に設定する（ステップＳ４）。
【００３０】
ＣＰＵ１３は予め取得している告知情報（ＳＤＴ）の共通データを取得し（ステップS ５）、ダウンロード期間と現在日時を比較する（ステップＳ６）。現在日時がダウンロード期間内であれば、規格で定められた期間を告知情報のダウンロード時間としてメモリ１４に書き込む（ステップＳ７）。一方、現在日時がダウンロード期間内でなければ、ダウンロード時間を０に設定する（ステップＳ８）。
【００３１】
ＣＰＵ１３は予め取得しておいた番組表データをメモリ１４（不揮発性メモリ部）から読み出し（ステップＳ９）、この番組表データと現在送信されている全番組表データから、残りの番組表情報の取得時間を算出する（ステップＳ１０）。そして、上記で算出した時間を基にして、サブ電源オフ後の受信装置の動作予定時間をオンスクリーン生成部でオンスクリーン生成し、ＮＴＳＣ変換部を介して映像出力端子より出力する（ステップＳ１１）。暫く後に、画面表示を消去して、受信装置内部で上記受信動作を行う。
【図面の簡単な説明】
【００３２】
【図１】この発明の実施形態のディジタル放送受信装置を示したブロック図である。
【図２】所要時間の表示例を示した説明図である。
【図３】処理内容を示したフローチャートである。
【符号の説明】
【００３３】
１    アンテナ
２    ディジタルチューナ
３    デマルチプレクサ（ＤＥＭＵＸ）
４    ＡＶデコーダ
１２  スケーラ／ＯＳＤ回路
１３  ＣＰＵ
１４  メモリ
【図１】
2006033461.tif 000003
【図２】
2006033461.tif 000004
【図３】
2006033461.tif 000005